【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
複数種類の識別情報を可変表示可能な可変表示手段と、該可変表示手段とは別に設けられ、複数種類の飾り識別情報を可変表示可能な飾り可変表示手段とを有し、前記可変表示手段の表示結果が予め定められた特定の表示結果になったときに大当り状態が発生するとともに、前記飾り可変表示手段の表示結果が予め定められた特別の表示結果になったときに、前記大当り状態が発生するとともに該大当り状態の終了後前記可変表示手段の表示結果が前記特定の表示結果になりやすい特別遊技状態が発生する遊技機であって、
前記大当り状態を発生させるか否かを決定するための数値を更新する大当り決定用カウンタと、
前記特別遊技状態を発生させるか否かを決定するための数値を更新する特別遊技状態決定用カウンタと、
複数種類の前記特別の表示結果の中からいずれかの前記特別の表示結果を選択するための数値を更新する特別表示結果選択用カウンタと、
前記大当り決定用カウンタからの抽出値が大当り判定値のときに前記大当り状態を発生させることを決定し、前記大当り決定用カウンタからの抽出値が前記大当り判定値以外のときに前記大当り状態を発生させないことを決定する当り外れ決定手段と、
該当り外れ決定手段の決定に対応する前記飾り可変表示手段の表示結果を予め定められた複数の表示結果の中から選択する飾り可変表示結果選択手段と、
前記当り外れ決定手段の決定に対応する前記可変表示手段の表示結果を、前記飾り可変表示手段の表示結果の総数よりも少ない複数の表示結果の中から選択する可変表示結果選択手段と、
前記可変表示手段および前記飾り可変表示手段を可変開始させた後、前記飾り可変表示手段に前記飾り可変表示結果選択手段の選択に従う表示結果を導出表示させてから、前記可変表示手段に前記可変表示結果選択手段の選択に従う表示結果を導出表示させる制御を行なう可変表示制御手段と、
前記飾り可変表示手段にリーチ状態を表示する制御を行なうか否かを決定するための数値を更新するリーチ状態決定用カウンタと、
前記大当り決定用カウンタからの抽出値が前記大当り判定値でないときに、前記リーチ状態決定用カウンタからの抽出値がリーチ状態判定値であることを前記可変表示結果選択手段による表示結果の選択とは独立して判定することによって、前記可変表示結果選択手段による表示結果の選択とは独立して前記飾り可変表示手段でリーチ状態を表示させることを決定するリーチ決定手段と、
該リーチ決定手段がリーチ状態を表示させることを決定したときに、前記可変表示手段および前記飾り可変表示手段の可変表示中において、前記可変表示手段の可変表示中の表示態様にかかわらず、前記飾り可変表示手段に前記飾り可変表示結果選択手段の選択に従うリーチ状態を表示させる制御を行なうリーチ表示制御手段とを備え、
前記飾り可変表示結果選択手段は、前記大当り決定用カウンタからの抽出値が大当り判定値で、かつ、前記特別遊技状態決定用カウンタからの抽出値が特別遊技状態判定値のときに、前記飾り可変表示手段の表示結果として前記特別表示結果選択用カウンタからの抽出値に対応した前記特別の表示結果を選択し、
前記可変表示手段の表示結果の総数を、前記飾り可変表示手段の表示結果の総数よりも少なくしたことを特徴とする、遊技機。
【請求項２】
前記飾り可変表示手段に表示するリーチ状態の演出動作の種類を決定するためのリーチ動作種類選択用カウンタをさらに備え、
前記リーチ表示制御手段は、前記飾り可変表示手段に前記飾り可変表示結果選択手段の選択に従うリーチ状態を表示させる制御を行なうときに、前記リーチ動作種類選択用カウンタからの抽出値に対応した種類の演出動作を行なうためのリーチ状態を表示することを特徴とする、請求項１または請求項２に記載の遊技機。
【手続補正２】
【補正対象書類名】明細書
【補正対象項目名】０００８
【補正方法】変更
【補正の内容】
【０００８】
請求項１に記載の本発明は、複数種類の識別情報を可変表示可能な可変表示手段（特別図柄用可変表示装置２４）と、該可変表示手段とは別に設けられ、複数種類の飾り識別情報を可変表示可能な飾り可変表示手段（飾り図柄用可変表示装置４）とを有し、前記可変表示手段の表示結果が予め定められた特定の表示結果（特定の表示態様（たとえば７７７））になったときに大当り状態が発生するとともに、前記飾り可変表示手段の表示結果が予め定められた特別の表示結果（２ライン以上のライン上またはオールフルーツでの大当りの図柄）になったときに、前記大当り状態が発生するとともに該大当り状態の終了後前記可変表示手段の表示結果が前記特定の表示結果になりやすい特別遊技状態が発生する遊技機であって、
前記大当り状態を発生させるか否かを決定するための数値を更新する大当り決定用カウンタ（ＷＣ  ＲＮＤ１）と、
前記特別遊技状態を発生させるか否かを決定するための数値を更新する特別遊技状態決定用カウンタ（ＷＣ  ＲＮＤ  ＺＵＬ）と、
複数種類の前記特別の表示結果の中からいずれかの前記特別の表示結果を選択するための数値を更新する特別表示結果選択用カウンタ（ＷＣ  ＲＮＤ  ＫＺＵＳＥＴ）と、
前記大当り決定用カウンタからの抽出値が大当り判定値のときに前記大当り状態を発生させることを決定し、前記大当り決定用カウンタからの抽出値が前記大当り判定値以外のときに前記大当り状態を発生させないことを決定する当り外れ決定手段（図６６のＳ３）と、
該当り外れ決定手段の決定に対応する前記飾り可変表示手段の表示結果を予め定められた複数の表示結果の中から選択する飾り可変表示結果選択手段（図６６、図６７）と、
前記当り外れ決定手段の決定に対応する前記可変表示手段の表示結果を、前記飾り可変表示手段の表示結果の総数よりも少ない複数の表示結果の中から選択する可変表示結果選択手段（図５０）と、
前記可変表示手段および前記飾り可変表示手段を可変開始させた後、前記飾り可変表示手段に前記飾り可変表示結果選択手段の選択に従う表示結果を導出表示させてから、前記可変表示手段に前記可変表示結果選択手段の選択に従う表示結果を導出表示させる制御を行なう可変表示制御手段（図６６のＳ３、Ｓ１０、Ｓ１７、図６７のＳ２３、Ｓ２８、図６９）と、
前記飾り可変表示手段にリーチ状態を表示する制御を行なうか否かを決定するための数値を更新するリーチ状態決定用カウンタ（ＷＣ  ＲＮＤ  ＲＥＡＣＨ）と、
前記大当り決定用カウンタからの抽出値が前記大当り判定値でないときに、前記リーチ状態決定用カウンタからの抽出値がリーチ状態判定値であることを前記可変表示結果選択手段による表示結果の選択とは独立して判定することによって、前記可変表示結果選択手段による表示結果の選択とは独立して前記飾り可変表示手段でリーチ状態を表示させることを決定するリーチ決定手段（図６７のＳ２０〜Ｓ２２、Ｓ２４）と、
該リーチ決定手段がリーチ状態を表示させることを決定したときに、前記可変表示手段および前記飾り可変表示手段の可変表示中において、前記可変表示手段の可変表示中の表示態様にかかわらず、前記飾り可変表示手段に前記飾り可変表示結果選択手段の選択に従うリーチ状態を表示させる制御を行なうリーチ表示制御手段（図６６、６７のＳ７、Ｓ１２、Ｓ２０〜Ｓ２２）とを備え、
前記飾り可変表示結果選択手段は、前記大当り決定用カウンタからの抽出値が大当り判定値（図６６のＳ３で７）で、かつ、前記特別遊技状態決定用カウンタからの抽出値が特別遊技状態判定値（図６６のＳ５で３，７，１２）のときに、前記飾り可変表示手段の表示結果として前記特別表示結果選択用カウンタからの抽出値に対応した前記特別の表示結果を選択し（図６６のＳ１０）、
前記可変表示手段の表示結果の総数を、前記飾り可変表示手段の表示結果の総数よりも少なくしたこと（特別図柄用可変表示装置２４の特別図柄の組合せの総数は、飾り図柄用可変表示装置４の飾り図柄の組合せの総数に比べて大幅に少ない。）を特徴とする。
【手続補正３】
【補正対象書類名】明細書
【補正対象項目名】０００９
【補正方法】変更
【補正の内容】
【０００９】
請求項２に記載の本発明は、請求項１に記載の発明の構成に加えて、前記飾り可変表示手段に表示するリーチ状態の演出動作の種類を決定するためのリーチ動作種類選択用カウンタ（図７、図１６のＷＣ  ＲＮＤ  ＲＣＨＡＣＴ）をさらに備え、
前記リーチ表示制御手段は、前記飾り可変表示手段に前記飾り可変表示結果選択手段の選択に従うリーチ状態を表示させる制御を行なうときに、前記リーチ動作種類選択用カウンタからの抽出値に対応した種類の演出動作を行なうためのリーチ状態を表示すること（図６６、図６７）を特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項１に関しては、特別遊技状態に制御するか否かの決定においてその制御をする決定がなされた場合に、特別遊技状態が実行されることを示す飾り可変表示手段の特別の表示結果の表示態様が選択決定される。このため、特別遊技状態が実行されることを示す表示態様を多種類設定しておき、その中から表示態様を選択決定することが可能である。これにより、特別遊技状態が実行されることを示す表示結果を、遊技者が見飽きないような多様なものにすることができる。その結果として、遊技者の興趣を向上させることができる。さらに、前記可変表示手段および前記飾り可変表示手段の可変表示中において、前記可変表示手段の可変表示中の表示態様にかかわらず、前記飾り可変表示手段にリーチ状態を表示させる制御が行なわれる。すなわち、飾り識別情報によりリーチ状態を発生させる確率は、識別情報の可変表示態様とは無関係に、任意に設定することができるので、遊技者の興趣を向上させることができる。
【手続補正６】
【補正対象書類名】明細書
【補正対象項目名】００１２
【補正方法】変更
【補正の内容】
【００１２】
請求項２に関しては、請求項１に関する効果に加えて、前記リーチ表示制御手段の働きにより、前記飾り可変表示手段に前記飾り可変表示結果選択手段の選択に従うリーチ状態を表示させる制御を行なうときに、リーチ動作種類選択用カウンタからの抽出値に対応した種類の演出動作を行なうためのリーチ状態が表示される。
【手続補正７】
【補正対象書類名】明細書
【補正対象項目名】００１３
【補正方法】削除
【補正の内容】